(57)【要約】【課題】ミスト状の水が電気部品まで到達するのを抑制することのできる冷凍装置の室外ユニットを提供する。【解決手段】室外ユニット３０は、電装品箱６０と、電装品箱６０の収容空間Ｒ３の中に収容されている電気部品とを備える。電装品箱６０は、室外ユニット３０の内部空間から仕切られた収容空間Ｒ３を形成している金属製仕切部材６２及び樹脂部材である支持枠６３を有する。電装品箱６０は、収容空間Ｒ３と内部空間との間において内部空間から収容空間Ｒ３に向って順に金属製仕切部材６２及び支持枠６３が配置されている箇所を含む。電装品箱６０は、支持枠６３が金属製仕切部材６２に向って膨出して金属製仕切部材６２に接する膨出部６３ａを有する。内部空間と収容空間Ｒ３とを連通させている電装品箱６０の空気流路は、膨出部６３ａの周囲の支持枠６３と金属製仕切部材６２の間の第１隙間Ｇ１で構成されている第１流路を含む。【選択図】図１５
2019148362.tif 000002
【特許請求の範囲】
【請求項１】
室外ユニット（３０）の内部空間から仕切られた収容空間（Ｒ３）を形成している金属製仕切部材（６２）及び樹脂部材（６３）を有し、前記収容空間と前記内部空間との間において前記内部空間から前記収容空間に向って順に前記金属製仕切部材及び前記樹脂部材が配置されている箇所を含む電装品箱（６０）と、
前記電装品箱の前記収容空間の中に収容されている電気部品（６５）と
を備え、
前記電装品箱は、前記樹脂部材が前記金属製仕切部材に向って膨出して前記金属製仕切部材に接する膨出部（６３ａ）を有し、前記内部空間と前記収容空間とを連通させている空気流路が、前記膨出部の周囲の前記樹脂部材と前記金属製仕切部材の間の第１隙間で構成されている第１流路を含む、冷凍装置の室外ユニット。
【請求項２】
前記膨出部は、前記第１流路が蛇行しつつ水平方向に延びるように配置されている、
請求項１に記載の冷凍装置の室外ユニット。
【請求項３】
前記電装品箱は、前記第１隙間で流路を狭める内部スリットを有する、
請求項１または請求項２に記載の冷凍装置の室外ユニット。
【請求項４】
前記内部空間は、ファンが配置されている送風機室（Ｒ１）と圧縮機が配置されている機械室（Ｒ２）とを含み、
前記第１流路は、前記送風機室と前記機械室とが並ぶ方向に対して交差する方向に空気が流れるように配置されている、
請求項１から３のいずれか一項に記載の冷凍装置の室外ユニット。
【請求項５】
前記電装品箱は、前記第１流路が水平面に沿うように構成され、前記第１流路に連通し且つ前記樹脂部材と前記金属製仕切部材の間の鉛直面に沿う第２隙間によって構成されている第２流路を前記空気流路が含む、
請求項１から４のいずれか一項に記載の冷凍装置の室外ユニット。
【請求項６】
室外ユニットの内部空間から仕切られた収容空間に収容され、第１面及び第２面を持ち、前記第２面には電気部品が実装されている配線基板（６６）と、
前記内部空間と前記収容空間との間に配置され、前記第１面を覆う本体部（６１ａ）及び、前記本体部から前記配線基板の前記第２面より遠くまで延びて前記配線基板の側方を前記配線基板から離れて囲む内側壁（６１ｂ）を有する樹脂製の蓋（６１）と、
前記配線基板を挟んで前記本体部とは反対側にあって前記第１面に垂直な方向に見て前記配線基板の周縁部に重なる位置まで延びている額縁部（６３ｇ）及び、前記内側壁より内側において前記額縁部から前記第２面に向って延びて前記額縁部と前記第２面との間の空隙を小さくする遮蔽部（６３ｍ）を有し、前記蓋を支持しているとともに前記収容空間に前記配線基板を支持している樹脂製の支持枠（６３）と
を備える、冷凍装置の室外ユニット。
【請求項７】
前記収容空間と前記内部空間との間において前記支持枠よりも前記内部空間に近い側に配置されている金属製仕切部材（６２）をさらに備え、
前記蓋は、前記金属製仕切部材に対向する側部を有し、前記本体部から突出していて前記金属製仕切部材と前記蓋の前記側部との合わせ目を覆う屋根部（６１ｄ）をさらに有する、
請求項６に記載の冷凍装置の室外ユニット。
【請求項８】
前記収容空間から前記内部空間に延びるハーネス（７１）をさらに備え、
前記蓋及び／または前記支持枠と前記金属製仕切部材とは、前記蓋及び／または前記支持枠と前記金属製仕切部材との間に前記ハーネスの配線経路となる溝部（７２）を構成し、
前記蓋は、前記溝部に突出し、前記溝部の底部に向って傾斜した傾斜部（６１ｅａ）を持ち、前記ハーネスを保持する保持爪（６１ｅ）をさらに有する、
請求項７に記載の冷凍装置の室外ユニット。
【発明の詳細な説明】
【技術分野】
【０００１】
電装品箱を備える冷凍装置の室外ユニット
【背景技術】
【０００２】
従来の冷凍装置の室外ユニットは、通常、例えば特許文献１（特開２００４−６１０７４号公報）に記載されている電装品箱を備えている。このような電装品箱の中に収納されている電気部品で発生する熱を電装品箱の外に逃がすために、電装品箱には、電装品箱の外から電装品箱の中を通って再び外に空気が流れるように構成されているものがある。
【発明の概要】
【発明が解決しようとする課題】
【０００３】
特許文献１に記載されている電装品箱では、熱を逃がすための空気の通路を通って電気部品に水が掛かり難くするため、遮水壁と防水壁との間に減速室が設けられている。しかしながら、粒子径の小さなミスト状の水が電気部品のところまで侵入するのを抑制するには、特許文献１の構成では十分とはいえない場合がある。
【０００４】
冷凍装置の室外ユニットにおいて、ミスト状の水が電装品箱の電気部品まで到達するのを抑制するという課題がある。
【課題を解決するための手段】
【０００５】
第１観点の冷凍装置の室外ユニットは、室外ユニットの内部空間から仕切られた収容空間を形成している金属製仕切部材及び樹脂部材を有し、収容空間と内部空間との間において内部空間から収容空間に向って順に金属製仕切部材及び樹脂部材が配置されている箇所を含む電装品箱と、電装品箱の収容空間の中に収容されている電気部品とを備え、電装品箱は、樹脂部材が金属製仕切部材に向って膨出して金属製仕切部材に接する膨出部を有し、内部空間と収容空間とを連通させている空気流路が、膨出部の周囲の樹脂部材と金属製仕切部材の間の第１隙間で構成されている第１流路を含む、ものである。
【０００６】
このような構成の室外ユニットでは、膨出部の周囲の第１隙間によって第１流路を狭く長く構成できるので、電気部品を冷やすために流れる空気流路の空気流に乗ってミスト状の水が収容空間に到達するのを空気流路の中の第１流路によって抑制することができる。
【０００７】
第２観点の冷凍装置の室外ユニットは、第１観点の室外ユニットであって、膨出部は、第１流路が蛇行しつつ水平方向に延びるように配置されている、ものである。
【０００８】
このような構成の室外ユニットでは、第１流路が蛇行しつつ水平方向に沿って延びているので、第１流路を長く形成しても電装品箱をコンパクト化することができる。
【０００９】
第３観点の冷凍装置の室外ユニットは、第１観点または第２観点の室外ユニットであって、電装品箱は、第１隙間で流路を狭める内部スリットを有する、ものである。
【００１０】
このような構成の室外ユニットでは、第１隙間で流路を狭める内部スリットを電装品箱が有するので、第１隙間の中に空気が緩やかに流れる箇所をつくってミスト状の水が第１隙間を通過するのを抑制することができる。
【００１１】
第４観点の冷凍装置の室外ユニットは、第１観点から第３観点のいずれかの室外ユニットであって、内部空間は、ファンが配置されている送風機室と圧縮機が配置されている機械室とを含み、第１流路は、送風機室と機械室とが並ぶ方向に対して交差する方向に空気が流れるように配置されている、ものである。
【００１２】
このような構成の室外ユニットでは、送風機室と機械室とが並ぶ方向に対して交差する方向に空気が流れるように第１流路が配置されているので、機械室から送風機室へ流れる空気の流れを長く形成することができる。
【００１３】
第５観点の冷凍装置の室外ユニットは、第１観点から第４観点のいずれかの室外ユニットであって、電装品箱は、第１流路が水平面に沿うように構成され、第１流路に連通し且つ樹脂部材と金属製仕切部材の間の鉛直面に沿う第２隙間によって構成されている第２流路を空気流路が含む、ものである。
【００１４】
このような構成の室外ユニットでは、水平面に沿う第１流路と鉛直面に沿う第２流路を空気流路が含むので、第１流路のみの場合に比べて空気流路を第２流路の長さだけさらに長く形成することができる。
【００１５】
第６観点の冷凍装置の室外ユニットは、室外ユニットの内部空間から仕切られた収容空間に収容され、第１面及び第２面を持ち、第２面には電気部品が実装されている配線基板と、内部空間と収容空間との間に配置され、第１面を覆う本体部及び、本体部から配線基板の第２面より遠くまで延びて配線基板の側方を配線基板から離れて囲む内側壁を有する樹脂製の蓋と、配線基板を挟んで本体部とは反対側にあって第１面に垂直な方向に見て配線基板の周縁部に重なる位置まで延びている額縁部及び、内側壁より内側において額縁部から第２面に向って延びて額縁部と第２面との間の空隙を小さくする遮蔽部を有し、蓋を支持しているとともに収容空間に配線基板を支持している樹脂製の支持枠とを備える、ものである。
【００１６】
このような構成の室外ユニットでは、内側壁より内側において額縁部から第２面に向って延びて額縁部と第２面との間の空隙を小さくする遮蔽部を有するので、電気部品を冷やすために流れる空気流に乗ってミスト状の水が配線基板と内側壁との間及び額縁部と第２面の間を通って蓋と支持枠と配線基板に囲まれた空間に到達するのを、遮蔽部によって抑制することができる。
【００１７】
第７観点の冷凍装置の室外ユニットは、第６観点の室外ユニットであって、収容空間と内部空間との間において支持枠よりも内部空間に近い側に配置されている金属製仕切部材をさらに備え、蓋は、金属製仕切部材に対向する側部を有し、本体部から突出していて金属製仕切部材と蓋の側部との合わせ目を覆う屋根部をさらに有する、ものである。
【００１８】
このような構成の室外ユニットでは、本体部から突出していて金属製仕切部材と蓋の側部との合わせ目を覆う屋根部を有するので、合わせ目からミスト状の水が侵入するのを屋根部によって抑制することができる。
【００１９】
第８観点の冷凍装置の室外ユニットは、第７観点の室外ユニットであって、収容空間から内部空間に延びるハーネスをさらに備え、蓋及び／または支持枠と金属製仕切部材とは、蓋及び／または支持枠と金属製仕切部材との間にハーネスの配線経路となる溝部を構成し、蓋は、溝部に突出し、溝部の底部に向って傾斜した傾斜部を持ち、ハーネスを保持する保持爪をさらに有する、ものである。
【００２０】
このような構成の室外ユニットでは、溝部に突出し、溝部の底部に向って傾斜した傾斜部を持ち、ハーネスを保持する保持爪を蓋が有するので、傾斜部によってハーネスが外れるのを抑制することができる。
【図面の簡単な説明】
【００２１】
【図１】実施形態に係る冷凍装置の構成の概要を示す回路図。
【図２】室外ユニットの外観を示す斜視図。
【図３】室外ユニットの空気流路を説明するための斜視図。
【図４】天板及び閉鎖弁カバーの取り外された室外ユニットを示す斜視図。
【図５】天板、閉鎖弁カバー、右側板、左側板及び電装品箱の蓋などが取り外された室外ユニットを示す斜視図。
【図６】右側板、左側板、ベルマウス、前板、圧縮機及び室外ファンなどが取り外された室外ユニットを示す斜視図。
【図７】天板及び閉鎖弁カバーなどが取り外された室外ユニットの右側面図。
【図８】電装品箱の空気流路を説明するための平面図。
【図９】（ａ）端子盤取付板が取り付けられた電装品箱の斜視図、（ｂ）端子盤取付板が取り外された電装品箱の斜視図。
【図１０】電装品箱の斜視図。
【図１１】電装品箱の分解斜視図。
【図１２】変形例金属製仕切部材に支持枠が組み込まれた状態を示す斜視図。
【図１３】金属製仕切部材に支持枠が組み込まれた状態を示す斜視図。
【図１４】支持枠の外観を示す斜視図。
【図１５】電装品箱の部分拡大断面図。
【図１６】電装品箱の断面図。
【図１７】蓋と支持枠が組み合わされた状態を示す斜視図。
【図１８】図１７のＩ−Ｉ線に沿って切断した蓋と支持枠の断面図。
【図１９】（ａ）蓋と支持枠と第１内部プリント基板を示す部分拡大断面図、（ｂ）第１内部プリント基板と額縁部の重なり部分を示す模式的な平面図。
【図２０】蓋と第１内部プリント板などを外した状態の電装品箱の斜視図。
【図２１】電装品箱と室外熱交換器とを示す斜視図。
【図２２】室外熱交換器に近い箇所の電装品箱の部分断面拡大図。
【図２３】電装品箱とファンモータとハーネスを示す斜視図。
【図２４】電装品箱とハーネスの部分拡大背面図。
【図２５】電装品箱の部分拡大斜視図。
【図２６】図２５のＩＩ−ＩＩ線に沿って切断した部分の電装品箱を拡大して示す一部破断拡大斜視図。
【図２７】変形例１Ｂに係る電装品箱とベルマウスとの関係を説明するための側面図。
【図２８】変形例１Ｂに係る電装品箱を示す斜視図。
【発明を実施するための形態】
【００２２】
（１）全体構成
以下、実施形態に係る冷凍装置について図面を用いて説明する。図１には、実施形態に係る冷凍装置が備える冷媒回路が示されている。図１に示されている冷凍装置１０は、空気調和機である。ここでは、冷凍装置１０として、空気調和機を例に挙げて説明しているが、冷凍装置１０には、空気調和機以外に、例えば、ヒートポンプ給湯器、冷蔵庫、及び庫内を冷却する冷却装置が含まれる。図１に示されている冷凍装置１０は、複数の室内ユニット２０と、複数の室内ユニット２０に接続された室外ユニット３０とを備えている。室内ユニット２０と室外ユニット３０とは連絡配管１２，１３で接続されており、並列に接続された複数の室内ユニット２０と室外ユニット３０の間で冷媒を循環させるための冷媒回路１１が形成されている。この冷媒回路１１を冷媒が循環することによって、冷凍装置１０は、蒸気圧縮式冷凍サイクルを行うことができる。
【００２３】
さらに詳細に見ると、各室内ユニット２０は、室内熱交換器２１と室内ファン２２と室内制御装置４１とを備えている。また、室外ユニット３０は、圧縮機３１と室外熱交換器３２と複数の膨張弁３３と室外ファン３４とアキュムレータ３５と四路切換弁３６と室外制御装置４２とを備えている。例えば膨張弁３３には電動弁を用いることができる。冷房運転時には、四路切換弁３６によって、圧縮機３１、室外熱交換器３２、複数の膨張弁３３、複数の室内熱交換器２１、そしてアキュムレータ３５の順に冷媒が循環するように冷媒回路１１が構成されている。暖房運転時には、四路切換弁３６によって、圧縮機３１、複数の室内熱交換器２１、複数の膨張弁３３、室外熱交換器３２、そしてアキュムレータ３５の順に冷媒が循環するように冷媒回路１１が構成されている。
【００２４】
（２）冷凍装置の動作
（２−１）冷房時の冷媒の流れ
次に冷凍装置１０の動作の概略を説明する。冷房運転時は、四路切換弁３６が図１において実線で示す状態に保持される。圧縮機３１から吐出された高温高圧のガス冷媒は、四路切換弁３６を介して室外熱交換器３２に流入する。室外熱交換器３２においては、冷媒が、室外ファン３４により供給される室外空気との間で熱交換して放熱する。放熱して冷えた冷媒は、分流されて、各々の膨張弁３３の流入口に流入する。各膨張弁３３では、冷媒が膨張されて減圧される。減圧された冷媒が、各膨張弁３３の流出口から各連絡配管１２を通って、各膨張弁３３に対応した各室内熱交換器２１の流入口に流入する。各室内熱交換器２１においては、冷媒が、各室内ファン２２により供給される室内空気との間で熱交換して吸熱する。各室内熱交換器２１で加熱された冷媒が、各室内熱交換器２１の流出口から各連絡配管１３と四路切換弁３６とアキュムレータ３５を通って圧縮機３１に吸い込まれる。各室内ユニット２０では、各室内熱交換器２１で冷媒と熱交換されて冷えた調和空気が、各室内ファン２２により吹出される。各室内ユニット２０から吹出される冷えた調和空気により、各室内ユニット２０の取り付けられている室内の冷房が行われる。
【００２５】
（２−２）暖房時の冷媒の流れ
暖房運転時は、四路切換弁３６が図１において破線で示す状態に保持される。圧縮機３１から吐出された高温高圧のガス冷媒は、四路切換弁３６を介して各連絡配管１３を通って各室内熱交換器２１に流入する。各室内熱交換器２１においては、冷媒が、各室内ファン２２により供給される室内空気と熱交換して放熱する。放熱して冷えた冷媒は、各室内熱交換器２１の流出口から流出して、各連絡配管１２を通って、各室内熱交換器２１に対応した各膨張弁３３の流入口に流入する。各膨張弁３３では、冷媒が膨張されて減圧される。減圧された冷媒が、各膨張弁３３の流出口から室外熱交換器３２の流入口に流入する。室外熱交換器３２においては、冷媒が、室外ファン３４により供給される室外空気との間で熱交換して吸熱する。室外熱交換器３２で加熱された冷媒は、室外熱交換器３２の流出口から四路切換弁３６とアキュムレータ３５を通って圧縮機３１に吸い込まれる。各室内ユニット２０では、各室内熱交換器２１で冷媒と熱交換されて暖められた調和空気が、各室内ファン２２により吹出される。各室内ユニット２０から吹出される暖かい調和空気により、各室内ユニット２０の取り付けられている室内の暖房が行われる。
【００２６】
（２−３）電気系統
複数の室内ユニット２０のそれぞれの室内ファン２２は、モータによって駆動され、電力の供給を受けている。また、複数の室内ユニット２０には、それぞれの室内ファン２２の回転数などを制御するための室内制御装置４１がそれぞれ設置されている。
【００２７】
室外ユニット３０の圧縮機３１、複数の膨張弁３３及び室外ファン３４は、モータによって駆動され、電力の供給を受けている。四路切換弁３６は、例えば電磁石によって切り替えの方向が制御されている。また、室外ユニット３０には、圧縮機３１及び室外ファン３４の回転数の制御、複数の膨張弁３３の弁開度の制御及び四路切換弁３６の切換を制御するための室外制御装置４２が設置されている。なお、室外制御装置４２と複数の室内制御装置４１とは、互いに接続されて、制御装置４０を構成している。室外ユニット３０には、室外制御装置４２を構成するための複数の電気部品並びに、圧縮機３１、複数の膨張弁３３及び室外ファン３４に電力を供給するための電気部品６５（図８参照）が電装品箱６０（図９（ａ）参照）の中に収納されている。
【００２８】
（３）室外ユニット３０の外観
室外ユニット３０は、図２に示されているように、前後、左右及び上下を囲むボックス形状のケーシング５０を備えている。図２には、室外ユニット３０を前方右斜め上から見た室外ユニット３０が示されている。図３には、室外ユニット３０を後方右斜め下から見た室外ユニット３０が示されている。なお、図３に示されている室外ユニット３０からは、後に取り付けられる保護用の金網（図示せず）が取り外されている。
【００２９】
ケーシング５０の上面には、天板５１が配置され、その前面には、前板５２が配置され、その右側面には、右側板５３が配置され、その左側面には左側板５４が配置され、その底面には、底フレーム５５が配置されている。前板５２には保護用のグリル５２ａが吹出口５２ｂを覆って取り付けられている。また、右側板５３には、閉鎖弁カバー５６が取り付けられている。
【００３０】
（４）室外ユニット３０の内部構造の概要
図４には、後方右斜め上方から見た、図２に描かれた天板５１及び閉鎖弁カバー５６の取り外された室外ユニット３０が示されている。図７には、右から見た、図４の室外ユニット３０が示されている。
【００３１】
室外ユニット３０の中の後側から左側にかけて室外熱交換器３２が設置されている。室外熱交換器３２は、送風機室Ｒ１に配置されている。室外熱交換器３２は、天板５１と右側板５３と左側板５４と底フレーム５５とに囲まれた後側開口部よりも大きい形状を有する。従って、後側開口部を通過した室外空気が、実質的に全て、室外熱交換器３２を通過する。また、左側板５４の複数の左側開口部５４ａを通過した室外空気も、実質的に全て、室外熱交換器３２を通過する。
【００３２】
図５には、図４に描かれた右側板５３及び左側板５４並びに電装品箱６０の蓋６１などが取り外された室外ユニット３０が示されている。図５に示されているように、送風機室Ｒ１の中に室外ファン３４が設置されている。室外ファン３４は、後側開口部の前に在る室外熱交換器３２の領域よりもさらに前に配置されている。左側開口部５４ａよりも右に在る室外熱交換器３２の領域よりもさらに右に、室外ファン３４は配置されている。送風機室Ｒ１の中では、この室外ファン３４によって、後から室外熱交換器３２を通って前に向う気流が発生する。室外ファン３４の前には、室外ファン３４に対してベルマウス５７が配置されている。室外ファン３４によって前方に押し出される空気は、ベルマウス５７の開口を通過して吹出口５２ｂから吹出される。
【００３３】
図６には、図４に描かれた右側板５３と左側板５４とベルマウス５７、図２に描かれた前板５２、及び圧縮機３１と室外ファン３４などが取り外された室外ユニット３０が示されている。送風機室Ｒ１と機械室Ｒ２は、底フレーム５５に固定され、底フレーム５５から上方に向かって立ち上がった仕切板５８によって仕切られている。この仕切板５８の上に電装品箱６０が固定されている。電装品箱６０は、ヒートシンク９０が取り付けられている左側部分６０Ｌが送風機室Ｒ１に張り出すように配置され、端子盤取付板８１の取り付けられている右側部分６０Ｒが機械室Ｒ２に張り出すように配置されている。電装品箱６０の右側部分６０Ｒの前側に開口部６０ａがある。この開口部６０ａの直前には前板５２が配置され、開口部６０ａを通って送風機室Ｒ１に向う気流は実質的に発生しない構成となっている。つまり、室外ユニット３０は、前板５２によって、開口部６０ａを通過する気流が実質的に遮断される構成を有している。
【００３４】
電装品箱６０の右側に取り付けられている端子盤取付板８１は、ケーシング５０の右側面に対向する配置になっている。端子盤取付板８１は、ケーシング５０の右側面を形成している右側板５３の右側開口部５３ｃから見えるところに位置している。なお、この右側開口部５３ｃには、端子盤カバー板５３ａが取り付けられる。この右側開口部５３ｃを通過した室外空気は、室外ファン３４が駆動していることにより送風機室Ｒ１の気圧が大気圧よりも低くなっているときには、電装品箱６０の中を通って送風機室Ｒ１へと流れる。送風機室Ｒ１と機械室Ｒ２とが仕切板５８で仕切られているので、この電装品箱６０の中を通る空気流路を除いては、機械室Ｒ２を通過して送風機室Ｒ１へと室外空気が流れる流路が実質的に存在しない。なお、電装品箱６０と天板５１との間には、これらの間の隙間を十分に塞ぐために例えば樹脂フォーム（図示せず）などが配置されている。右側板５３には閉鎖弁カバー５６が取り付けられており、図２に示されている閉鎖弁カバー部スリット５６ａを通して、右側開口部５３ｃと室外ユニット３０の外部の空間とが繋がっている。室外熱交換器３２は、例えばフィンアンドチューブ式であって冷媒が流れる伝熱管と熱交換を促進するための多数の伝熱フィンを有している。室外ファン３４が駆動されて気流が発生すると、室外熱交換器３２の伝熱フィンの間を通過するときに生じる空気抵抗などによって送風機室Ｒ１の中の気圧が大気圧より低くなる。
【００３５】
端子盤取付板８１には、端子盤８２及び基板用カバー８３によって覆われた設定用プリント基板（図示せず）が取り付けられている。端子盤取付板８１には、閉鎖弁カバー部スリット５６ａを通過した室外空気を電装品箱６０へと導くための取付板スリット８１ａが形成されている。取付板スリット８１ａを通過した室外空気は、仕切部材スリット６２ａ（図９（ｂ）参照）などを通過して電装品箱６０の中に入る。
【００３６】
（５）電装品箱６０の構成
図９（ａ）、図９（ｂ）及び図１０に示されているように、電装品箱６０の上部には、樹脂製の蓋６１が配置されている。蓋６１は、上方から見て、凡そ長方形の形状を呈する。蓋６１の下には、電装品箱６０の前面６０ｆの一部及び右側面６０ｍ並びに左側面６０ｎ、後面６０ｕ及び底面６０ｓ（図１２参照）を実質的に覆う金属製仕切部材６２が配置されている。図１１には、電装品箱６０を各構成部品に分解した状態が示されている。金属製仕切部材６２は、樹脂製の支持枠６３と組み合わされており、電装品箱６０の表面に支持枠６３の一部が露出している箇所もある。電装品箱６０の前面６０ｆには、既に説明した開口部６０ａが形成されている。電装品箱６０の内部は、室外ユニット３０の内部空間である送風機室Ｒ１と機械室Ｒ２から仕切られた収容空間Ｒ３となっている。言い換えると、樹脂部材である蓋６１及び支持枠６３並びに金属製仕切部材６２が、送風機室Ｒ１と機械室Ｒ２から仕切られた収容空間Ｒ３を形成している。
【００３７】
収容空間Ｒ３の中には、電気部品６５が収容されている。電気部品６５は、蓋６１の下に配置されて、蓋６１に対して実質的に平行に置かれている第１内部プリント基板６６の下側にも実装されている。この第１内部プリント基板６６は、図１１に示されているように、支持枠６３によって支持されている。また、金属製仕切部材６２の右側面には、第２内部プリント基板６７（図８参照）が取り付けられており、この第２内部プリント基板６７にも電気部品６５が実装されている。第１内部プリント基板６６及び第２内部プリント基板６７に実装された電気部品６５の中には、収容空間Ｒ３に露出していて、収容空間Ｒ３を流れる空気によって冷却される発熱部品が含まれている。さらに、電装品箱６０の底面６０ｓの箇所の金属製仕切部材６２には、電気部品６５の一種であるリアクタ６５ａが取り付けられている。このリアクタ６５ａは、室外ユニット３０の運転時に発熱する発熱部品である。リアクタ６５ａも収容空間Ｒ３を流れる空気によって冷却される。
【００３８】
第１内部プリント基板６６には、送風機室Ｒ１に張り出す電装品箱６０の左側部分６０ＬにＩＰＭ（Intelligent power module）などの発熱部品が取り付けられている。ＩＰＭは、例えば、圧縮機３１のモータ及び室外ファン３４の電力供給のために用いられている電気部品６５である。発熱部品であるＩＰＭは、第１内部プリント基板６６の下方に配置されているヒートシンク９０に例えばシリコーン樹脂により熱的に接続されている。つまり、第１内部プリント基板６６に実装されている電気部品６５の中には、ヒートシンク９０に熱的に接続されて、ヒートシンク９０により冷却される発熱部品が含まれている。
【００３９】
（５−１）電装品箱６０の空気流路
電装品箱６０の空気流路は、主に、仕切部材スリット６２ａ（図９（ｂ）参照）が形成されている右側面から収容空間側スリット６４ａ〜６４ｄ（図１１参照）を通過して金属製仕切部材６２と支持枠６３の合わせ目６０ｂ（図１６参照）のある左側面の近傍まで続いている。この空気流路は、収容空間Ｒ３と、送風機室Ｒ１及び機械室Ｒ２（室外ユニット３０の内部空間）とを連通させている。図８に矢印Ａｒ１で空気流路を流れる空気が概念的に示されている。この電装品箱６０では収容空間側スリット６４ａ〜６４ｄが４つ設けられているが、収容空間側スリット６４ａ〜６４ｄの個数及び配置位置は変更されてもよい。
【００４０】
電装品箱６０の右側面６０ｍには、仕切部材スリット６２ａ以外に、電気部品６５のための配線に用いられる配線用開口部６０ｃ（図９（ｂ）参照）が、空気が収容空間Ｒ３の中に侵入する主な入口になる。空気流路の中で、例えば、仕切部材スリット６２ａから収容空間側スリット６４ａ〜６４ｄまでが収容空間Ｒ３を通過する経路になる。収容空間Ｒ３を通過して、電気部品６５を冷却した空気は、収容空間側スリット６４ａ〜６４ｄから金属製仕切部材６２と支持枠６３との間にできた空間に入る。収容空間側スリット６４ａ〜６４ｄ野中では、収容空間側スリット６４ａが最も低い位置（電装品箱６０の底面６０ｓに近い位置）に配置され、次に収容空間側スリット６４ｄが低い位置に配置され、最も高い位置には収容空間側スリット６４ｂ，６４ｃが配置されている。
【００４１】
収容空間側スリット６４ａは、この第１隙間Ｇ１（図１５参照）にできた第１流路の入り口である。第１流路は、図１４において、矢印Ａｒ２が描かれている区間である。つまり、収容空間側スリット６４ａから開口部６３ｃまでが第１流路である。この第１流路は、樹脂製の支持枠６３が金属製仕切部材６２に向って膨出して金属製仕切部材６２に接する膨出部６３ａによって形成されている。言い換えると、支持枠６３の膨出部６３ａの周囲の支持枠６３と金属製仕切部材６２の間の第１隙間Ｇ１で第１流路が構成されている。この膨出部６３ａは、支持枠６３から金属製仕切部材６２に向って突出したリブである。第１流路は、水平方向に沿って延びている。しかも、この第１流路が蛇行しつつ水平方向に延びるように膨出部６３ａが配置されている。
【００４２】
膨出部６３ａの配置を見ると、第１流路を狭める内部スリット６３ｂを形成している箇所がある。このような内部スリット６３ｂにより、第１隙間Ｇ１の中の空気が緩やかに流れる場所を内部スリット６３ｂの前後に形成でき、空気の流れの緩やかな場所でミスト状の水を支持枠６３と金属製仕切部材６２に付着させて侵入を抑制できる。
【００４３】
第１流路は、送風機室Ｒ１と機械室Ｒ２とが並ぶ方向に対して交差する方向に空気が流れるように配置されている。本実施形態では、送風機室Ｒ１と機械室Ｒ２とが並ぶ方向が左右方向であり、送風機室Ｒ１と機械室Ｒ２とが並ぶ方向に対して交差する方向が前後方向である。
【００４４】
第２流路は、図１４及び図１６において、矢印Ａｒ３が描かれている区間である。つまり、開口部６３ｃから開口部６３ｄまでが第２流路である。第１流路は第２流路に繋がっている。第１流路が金属製仕切部材６２の段差下面６２ｑ（図１３参照）と支持枠６３との間の第１隙間Ｇ１に形成され、水平面である金属製仕切部材６２の段差下面６２ｑに沿うように第１流路が形成されている。それに対し、第２流路は、電装品箱６０の左側面６０ｎの箇所の金属製仕切部材６２（図１２及び図１３参照）と支持枠６３との間の第２隙間Ｇ２に形成され、鉛直面である左側面６０ｎの箇所の金属製仕切部材６２に沿うように第２流路が形成されている。このように、水平面に沿う第１流路から鉛直面に沿う第２流路に折り返すので、第２流路の分だけ空気流路を長く形成できる。また、水平面に沿う第１流路と鉛直面に沿う第２流路を組み合わせることで、電装品箱６０をコンパクトに形成しながら、長い空気流路を形成できる。第２流路にも、第２流路を狭める内部スリット６３ｅが形成されている箇所がある。内部スリット６３ｅにより、第２隙間Ｇ２の中の空気が緩やかに流れる場所を内部スリット６３ｅの前後に形成できる。
【００４５】
第３流路は、図１４及び図１６において、矢印Ａｒ４が描かれている区間である。つまり、開口部６３ｄから合わせ目６０ｂまでが第３流路である。第１流路、第２流路及び第３流路が、収容空間Ｒ３と内部空間である送風機室Ｒ１とを連通させている。
【００４６】
第４流路は、図１４において、矢印Ａｒ５が描かれている区間である。つまり、収容空間側スリット６４ｂから開口部６３ｄまでが第４流路である。第４流路は、前述の第３流路に繋がっている。第５流路は、図１４において、矢印Ａｒ６が描かれている区間である。つまり、収容空間側スリット６４ｃから開口部６３ｆまでが第５流路である。第５流路は、前述の第３流路に繋がっている。第６流路は、図１４及びにおいて、矢印Ａｒ７が描かれている区間である。つまり、収容空間側スリット６４ｄから開口部６３ｆまでが第６流路である。第６流路は、前述の第３流路に繋がっている。開口部６３ｆは、開口部６３ｄよりも高所に位置している。
【００４７】
（５−２）電装品箱６０へのミスト状の水の侵入
電装品箱６０へのミスト状の水の侵入経路は、金属製仕切部材６２と支持枠６３との合わせ目６０ｂ（図１６参照）が入口となる場合と、閉鎖弁カバー部スリット５６ａ（図３参照）が入口となる場合がある。ここでは、金属製仕切部材６２と支持枠６３とによって形成される第１流路が重要な構成であることから、前者の場合について説明する。室外ユニット３０の室外ファン３４が駆動されているときには、合わせ目６０ｂを通って収容空間Ｒ３から送風機室Ｒ１に向って空気が流れるので、電装品箱６０へのミスト状の水が合わせ目６０ｂから侵入する可能性は極めて小さい。室外ユニット３０が室外に置かれるので、室外ファン３４が停止しているときに風雨によって、ミスト状の水が室外ユニット３０の吹出口５２ｂから送風機室Ｒ１の中に入る場合がある。送風機室Ｒ１に入ったミスト状の水は、合わせ目６０ｂから電装品箱６０の中に入る。合わせ目６０ｂから入ったミスト状の水は、第１流路から第６流路を遡らなければ、収容空間Ｒ３には到達できない。収容空間側スリット６４ａに到達するには、第３流路から第２流路を通ってさらに第１流路を遡らなければならない。
【００４８】
ミスト状の水の密度は空気よりも大きいので、空気の流れが無ければ、重力に引かれて下に落ちる。従って、ミスト状の水は、合わせ目６０ｂから開口部６３ｄまで第３流路（矢印Ａｒ４に沿う流路）を通って容易に到達する。しかし、第３流路に比べて長い第２流路（矢印Ａｒ３に沿う流路）を水平方向に沿って遡る際に、ミスト状の水は、金属製仕切部材６２と支持枠６３の壁面に付着して漸次少なくなる。蛇行しつつ水平方向に沿って延びる第１流路（矢印Ａｒ２に沿う流路）が第２流路よりもさらに長いので、第１流路を進むミスト状の水は、金属製仕切部材６２の段差下面６２ｑに付着して収容空間側スリット６４ａに到達し難くなる。
【００４９】
ミスト状の水は、第３流路から第４流路（矢印Ａｒ５に沿う流路）を通って収容空間側スリット６４ｂに到達する可能性もある。しかしながら、開口部６３ｄが収容空間側スリット６４ｂよりも低い位置に配置されており、空気よりも密度の大きいミスト状の水は、上昇しなければ収容空間側スリット６４ｂに到達できないので、開口部６３ｄから収容空間側スリット６４ｂに向う強い空気の流れがないと、収容空間側スリット６４ｂに到達するのは困難である。
【００５０】
ミスト状の水は、第３流路から第５流路（矢印Ａｒ６に沿う流路）または第６流路（矢印Ａｒ７に沿う流路）を通って収容空間側スリット６４ｃまたは収容空間側スリット６４ｄに到達する可能性もある。しかしながら、開口部６３ｆが開口部６３ｄよりも高い所に配置されていて且つ開口部６３ｆが小さいので、空気よりも密度の大きいミスト状の水は、専ら重力に引かれて開口部６３ｄに向うので、開口部６３ｄから開口部６３ｆに向う強い空気の流れがないと、収容空間側スリット６４ｃ，６４ｄに到達するのは困難である。
【００５１】
（６）支持枠６３が第１内部プリント基板６６を支持する構成
図１７には、蓋６１と支持枠６３とが示されている。図１７のＩ−Ｉ線で切断すると、図１８に示されているように、蓋６１と支持枠６３の間に挟まれた第１内部プリント基板６６が見える。図１９（ａ）には、図１８に描かれた第１内部プリント基板６６の周辺の断面構造が拡大して示されている。図１９（ａ）に記載されているのは、ケーシング５０の前板５２に近い側である。第１内部プリント基板６６は、蓋６１に対向する第１面６６ａと、電気部品６５が実装されている第２面６６ｂとを有している。第１内部プリント基板６６の第１面６６ａは、蓋６１の本体部６１ａによって覆われている。
【００５２】
蓋６１は、本体部６１ａから第１内部プリント基板６６の方（本実施形態では下方）に向って延びている内側壁６１ｂ及び外側壁６１ｃを有している。内側壁６１ｂは、第１内部プリント基板６６の側方を、第１内部プリント基板６６の全周囲にわたって囲んでいる。内側壁６１ｂは第１内部プリント基板６６の第２面６６ｂより遠くまで延びている。つまり、内側壁６１ｂの下端６１ｂｕは、第２面６６ｂよりも下にある。外側壁６１ｃは、内側壁６１ｂの外側を全周囲にわたって囲んでいる。外側壁６１ｃは、本体部６１ａの周縁端部から下に延びている。つまり、蓋６１においては、屋根部６１ｄの箇所を除いて、外側壁６１ｃが最も端にある。
【００５３】
支持枠６３は、第１内部プリント基板６６を支持するための額縁部６３ｇを有している。額縁部６３ｇは、電気部品６５を収容空間Ｒ３に露出させるための支持枠６３の開口部６３ｈを囲むように設けられている。額縁部６３ｇは、支持されている第１内部プリント基板６６に向って張り出している。この室外ユニット３０においては、額縁部６３ｇは水平方向に沿って延びている。支持枠６３は、額縁部６３ｇの付け根から蓋６１に向って立ち上がっている蓋支持リブ６３ｉを有している。蓋６１が蓋支持リブ６３ｉの頂部６３ｉｔに接触して、蓋支持リブ６３ｉによって蓋６１が支持されている。従って、支持枠６３が蓋６１を支持している箇所には、ミスト状の水が侵入する隙間は実質的に存在しない。また、ミスト状の水の侵入は、蓋支持リブ６３ｉの外周を取り囲む外側壁６１ｃによっても抑制される。
【００５４】
額縁部６３ｇは、第１面６６ａに垂直な方向（この実施形態では上から下に向う方向）に見て、第１内部プリント基板６６の周縁部に重なる位置まで延びている（図１９（ｂ）の斜線部分が重なった箇所である）。この額縁部６３ｇからは、第１内部プリント基板６６を支持するために、複数の基板支持リブ６３ｋ（図１８及び図１９（ａ）参照）が蓋６１の方に向って延びている。基板支持リブ６３ｋの一部が第１内部プリント基板６６の周縁部と額縁部６３ｇが重なる位置に配置され、第１内部プリント基板６６と額縁部６３ｇの間に基板支持リブ６３ｋが存在する。そのため、複数の基板支持リブ６３ｋで支えられている第１内部プリント基板６６は額縁部６３ｇから浮きが上がっており、第１内部プリント基板６６と額縁部６３ｇとの間には空隙Ａｐが生じている。第１内部プリント基板６６の第１面６６ａに配線が露出している箇所が多いので、第２面６６ｂが配置されている収容空間Ｒ３から第１面６６ａが配置されている空間Ｒ４に、空隙Ａｐを通ってミスト状の水が侵入するのを抑制することが求められる。空間Ｒ４へのミスト状の水の侵入を抑制するために、支持枠６３は、額縁部６３ｇから第２面６６ｂに向って延びる遮蔽部６３ｍを有している。この遮蔽部６３ｍによって、額縁部６３ｇと第２面６６ｂとの間の空隙Ａｐが小さくなっている。
【００５５】
（７）蓋６１の屋根部６１ｄ
蓋６１の屋根部６１ｄについて、図８、図２０、図２１及び図２２を用いて説明する。図８には、天板５１、右側板５３、左側板５４並びに電装品箱６０の蓋６１及び第１内部プリント基板６６などが取り外された室外ユニット３０が示されている。図２０には、図８に示された電装品箱６０が示されている。従って、図２０に示されている電装品箱６０の蓋６１及び第１内部プリント基板６６が取り外され、電装品箱６０の収容空間Ｒ３が見えている。図２１には、蓋６１が取り付けられた状態の電装品箱６０と室外熱交換器３２の一部とが示されている。電装品箱６０の後面６０ｕが室外熱交換器３２に対向している。電装品箱６０のこの後面６０ｕは、金属製仕切部材６２で構成されている。後面６０ｕを構成している金属製仕切部材６２は、収容空間Ｒ３と内部空間である送風機室Ｒ１との間において支持枠６３よりも送風機室Ｒ１に近い側に配置されている。電装品箱６０の収容空間Ｒ３の中の後面６０ｕに近い場所には、電気部品６５として、例えばリアクタ６５ａが配置されている。室外熱交換器３２を通過した室外空気が電装品箱６０にミスト状の水を運ぶことがあるので、電装品箱６０の収容空間Ｒ３の中にミスト状の水が侵入するのを抑制するために、蓋６１は、電装品箱６０の後面６０ｕよりも後方に突出する屋根部６１ｄを有している。
【００５６】
図２２には、電装品箱６０の後面６０ｕの周辺の断面構造が拡大して示されている。図２２に示されているように、蓋６１は、金属製仕切部材６２に対向する側部として外側壁６１ｃを有している。なお、ここでは、金属製仕切部材６２に外側壁６１ｃが直接対向している場合を例に挙げて説明しているが、蓋６１の側部は、例えば支持枠６３を挟んで間接的に対向してもよい。屋根部６１ｄは、蓋６１の本体部６１ａから突出している。そして、屋根部６１ｄは、蓋６１の側部である外側壁６１ｃと金属製仕切部材６２との合わせ目Ｓｅを覆っている。屋根部６１ｄは、先端部がＬ字形に曲がっていて、屋根部６１ｄの先端６１ｄａが金属製仕切部材６２の頂部６２ｂよりも屋根部６１ｄから遠い所まで下がっている。このような構造により、ミスト状の水が、さらに、合わせ目Ｓｅから侵入し難くなっている。屋根部６１ｄが左右に延びている範囲Ｒｅ１は、収容空間Ｒ３が左右に延びている範囲と同じかそれよりも長くなっている。
【００５７】
（８）蓋６１の保持爪６１ｅ
蓋６１の保持爪６１ｅについて、図２３、図２４、図２５及び図２６を用いて説明する。図２３には、電装品箱６０とファンモータ７０が示されている。図２４には、電装品箱６０とハーネス７１が示されている。図２５には、ハーネス７１が取り外された状態の電装品箱６０の一部が示されている。また、図２６には、図２５のＩＩ−ＩＩ線で切断した断面が拡大して示されている。ハーネス７１は、電装品箱６０の収容空間Ｒ３から室外ユニット３０の内部空間である送風機室Ｒ１に延びている。ファンモータ７０は、室外ファン３４を駆動するモータである。ハーネス７１の束縛が不十分であった場合には、例えばハーネス７１が室外ユニット３０の内部の部材に当たって騒音の原因となったり、室外ファン３４の羽根に当たって損傷したりする不具合の原因となる。ハーネス７１を束縛して移動を制限するために、蓋６１の周囲にハーネス７１の配線経路となる溝部７２が設けられている。金属製仕切部材６２と蓋６１及び支持枠６３との間に溝部７２が形成されている。ここでは、金属製仕切部材６２と蓋６１及び支持枠６３との間に溝部７２が形成される場合を例に挙げているが、金属製仕切部材と蓋との間に溝部を形成されてもよく、金属製仕切部材と支持枠との間に溝部を形成されてもよい。図２６に示されている溝部７２は、金属製仕切部材６２の一部が前側及び左側に突出して、金属製仕切部材６２と蓋６１及び支持枠６３との間に連続した細長い空間を形成することによって溝部７２を設けている。
【００５８】
溝部７２には、蓋６１から複数の保持爪６１ｅが突出している。保持爪６１ｅは、先端に溝部７２の底部７２ａに向って傾斜した傾斜部６１ｅａを持っている。この傾斜部６１ｅａによってハーネス７１が溝部７２から外れるのを抑制することができる。また、傾斜部６１ｅａがあるによって傾斜部６１ｅａのところまで真っ直ぐに保持爪６１ｅを延ばす場合と比較して間口が広がる。傾斜部６１ｅａによって間口が広がることにより、溝部７２にハーネス７１を押し込むときには、ハーネス７１が溝部７２に入り易くなる。また、溝部７２の中にハーネス７１が入った後は、傾斜部６１ｅａにより溝部７２の底部７２ａに近づくほど保持爪６１ｅが金属製仕切部材６２に近づくので、ハーネス７１が外れ難くなる。
【００５９】
（９）特徴
（９−１）
以上説明したように、冷凍装置１０の室外ユニット３０は、電装品箱６０と、電装品箱６０の収容空間Ｒ３に収容されている電気部品６５を備えている。そして、電装品箱６０は、室外ユニット３０の内部空間である送風機室Ｒ１及び機械室Ｒ２と収容空間Ｒ３との間において、送風機室Ｒ１及び機械室Ｒ２の側から収容空間Ｒ３に向って順に金属製仕切部材６２及び樹脂部材である支持枠６３が配置されている箇所を含んでいる。このような箇所を含むことにより、電装品箱６０の防炎性を高めている。
【００６０】
複数の電気部品６５の中の発熱部品から発生する熱エネルギーによって電装品箱６０の仲の温度が上昇するのを抑制するため、電装品箱６０は、収容空間Ｒ３に空気が流れるように構成されている。収容空間Ｒ３を通る電装品箱６０の空気流路には、膨出部６３ａの周囲の樹脂部材である支持枠６３と金属製仕切部材６２の間の第１隙間Ｇ１で構成されている第１流路（図１４の矢印Ａｒ２が描かれている区間）が含まれている。この膨出部６３ａの周囲の第１隙間Ｇ１によって第１流路を狭く長く構成できるので、電気部品６５を冷やすために流れる空気流路の空気流に乗ってミスト状の水が収容空間Ｒ３に到達するのを空気流路の中の第１流路によって抑制することができている。
【００６１】
（９−２）
図１４に示されているように、第１流路（矢印Ａｒ２が描かれている区間）は、蛇行しつつ水平方向に沿って延びている。このような構成であるので、第１流路を真っ直ぐに形成する場合に比べて第１流路を長く形成しても、支持枠６３の前後方向の幅を小さくでき、電装品箱６０をコンパクト化することができている。
【００６２】
（９−３）
第１隙間Ｇ１に形成されている内部スリット６３ｂが第１隙間Ｇ１で第１流路を狭めるので、内部スリット６３ｂによって第１隙間Ｇ１の中の空気が緩やかに流れる場所を内部スリット６３ｂの前後に形成できている。このような空気の流れの緩やかな場所でミスト状の水を支持枠６３と金属製仕切部材６２に付着させることができ、ミスト状の水が第１隙間Ｇ１を通過するのを抑制することができる。
【００６３】
（９−４）
第１流路は、送風機室Ｒ１と機械室Ｒ２とが並ぶ方向（本実施形態では左右方向）に対して交差する方向（本実施形態では前後方向）に空気が流れるように配置されている。電装品箱６０の中を空気は左右方向に流れるので、空気流路を左右方向の流路のみで構成する場合に比べて空気流路に前後方向に流れる第１流路を加えることで、機械室Ｒ２から送風機室Ｒ１へ流れる空気の流れを長く形成することができる。送風機室Ｒ１の側からのミスト状の水の侵入は、前後方向に延びる長く狭い第１流路によって抑制される。
【００６４】
（９−５）
本実施形態では、空気流路が、水平面である電装品箱６０の底面６０ｓに沿う第１流路と、鉛直面である電装品箱６０の左側面６０ｎに沿う第２流路（図１４の矢印Ａｒ３が描かれている区間）とを含んでいる。つまり、第１流路のみの場合に比べて空気流路を第２流路の長さだけさらに長く形成することができている。そのため、金属製仕切部材６２と支持枠６３との合わせ目６０ｂ（図１０C参照）から空気流路を遡って収容空間Ｒ３に到達するミスト状の水を第２流路により減らすることができる。
【００６５】
（９−６）
配線基板である第１内部プリント基板６６の第２面には電気部品が実装されている。この第１内部プリント基板６６の第１面６６ａが露出している空間Ｒ４は、蓋６１と第１内部プリント基板６６と支持枠６３の額縁部６３ｇとで囲まれている。そして、遮蔽部６３ｍは、内側壁６１ｂより内側において額縁部６３ｇから第２面６６ｂに向って延びて額縁部６３ｇと第２面６６ｂとの間の空隙Ａｐを小さくする。その結果、電気部品６５を冷やすために流れる空気流に乗ってミスト状の水が第１内部プリント基板６６と内側壁６１ｂとの間及び額縁部６３ｇと第２面６６ｂの間を通って空間Ｒ４に到達するのを、遮蔽部６３ｍによって抑制することができている。
【００６６】
（９−７）
図８から図２２を用いて説明したように、電装品箱６０において、蓋６１の本体部６１ａから突出していている屋根部６１ｄは、蓋６１の側部である外側壁６１ｃと金属製仕切部材６２との合わせ目Ｓｅを覆っている。この合わせ目Ｓｅからミスト状の水が侵入することが、屋根部６１ｄによって抑制されている。
【００６７】
（９−８）
図２３から図２６を用いて説明したように、電装品箱６０の蓋６１は、溝部７２に突出している保持爪６１ｅを有する。この保持爪６１ｅで、ハーネス７１が保持される。この保持爪６１ｅは、溝部７２の底部７２ａに向って傾斜した傾斜部６１ｅａを持っている。保持爪６１ｅの傾斜部６１ｅａによってハーネス７１を溝部７２に嵌め込みやすくなっており、一旦溝部７２に嵌ったハーネス７１は傾斜部６１ｅａによって外れるのが抑制される。
【００６８】
（１０）変形例
（１０−１）変形例１Ａ
上記実施形態では、収容空間側スリット６４ａ以外に、収容空間側スリット６４ｂ，６４ｃ，６４ｄを設ける場合について説明したが、これらのうちの一部または全部を省いてもよい。また、収容空間側スリット６４ｂ，６４ｃ，６４ｄ以外の収容空間側スリットを支持枠６３に設けてもよい。
【００６９】
（１０−２）変形例１Ｂ
上記実施形態では、第１流路に続く第２流路を設ける場合について説明したが、例えば、第１流路の入口である収容空間側スリット６４ａを上記実施形態とは反対側の前板５２に近いところに設け、第２流路を省いて、第１流路を第３流路に接続するように構成してもよい。
【００７０】
（１０−３）変形例１Ｃ
上記実施形態では、第１流路が蛇行しつつ水平方向に沿って延びる構成について説明したが、第１流路は、実質的に真っ直ぐ水平方向に沿って延びるように構成されてもよい。
【００７１】
（１０−４）変形例１Ｄ
上記実施形態では、金属製仕切部材６２と支持枠６３との合わせ目６０ｂによって空気流路を収容空間Ｒ３と送風機室Ｒ１との間で連通させたが、図２７と図２８に示されているように、金属製仕切部材６２の送風機室Ｒ１に面する箇所に仕切部材スリット６２ｃを形成してもよい。この場合、仕切部材スリット６２ｃは、その少なくとも一部が、側面視においてベルマウス５７と重なる位置に設けられるのが好ましい。吹出口５２ｂから風雨によってミスト状の水が侵入する場合、ベルマウス５７から後方に向かって進むので、ベルマウス５７の側方に配置された仕切部材スリット６２ｃに風雨に起因するミスト状の水が到達までの距離が遠くなるからである。
【００７２】
（１０−５）変形例１Ｅ
上記実施形態の冷凍装置１０は、冷房運転と暖房運転の切換が可能な冷暖兼用の冷凍装置であるが、冷房専用の冷凍装置または暖房専用の冷凍装置にも上記実施携帯で説明した技術が適用できる。
【００７３】
（１０−６）変形例１Ｆ
上記実施形態では、１つの室外ユニット３０に、複数の室内ユニット２０が繋がるタイプの冷凍装置１０について説明したが、上記実施形態で説明した技術は、１つの室外ユニットに１つの室内ユニットが繋がるタイプの冷凍装置にも適用でき、また複数の室外ユニットに複数の室内ユニットが繋がるタイプの冷凍装置にも適用することができる。
【００７４】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００７５】
１０  冷凍装置
２０  室内ユニット
３０  室外ユニット
６０  電装品箱
６１  蓋
６１ａ  本体部
６１ｂ  内側壁
６１ｄ  屋根部
６１ｅ  保持爪
６１ｅａ  傾斜部
６２  金属製仕切部材
６３  支持枠（樹脂部材の例）
６３ａ  膨出部
６３ｇ  額縁部
６３ｍ  遮蔽部
６５  電気部品
６６  第１内部プリント基板（配線基板の例）
７１  ハーネス
７２  溝部
Ｒ１  送風機室（内部空間の例）
Ｒ２  機械室（内部空間の例）
Ｒ３  収容空間
【先行技術文献】
【特許文献】
【００７６】
【特許文献１】特開２００４−６１０７４号公報
【図１】
2019148362.tif 000003
【図２】
2019148362.tif 000004
【図３】
2019148362.tif 000005
【図４】
2019148362.tif 000006
【図５】
2019148362.tif 000007
【図６】
2019148362.tif 000008
【図７】
2019148362.tif 000009
【図８】
2019148362.tif 000010
【図９】
2019148362.tif 000011
【図１０】
2019148362.tif 000012
【図１１】
2019148362.tif 000013
【図１２】
2019148362.tif 000014
【図１３】
2019148362.tif 000015
【図１４】
2019148362.tif 000016
【図１５】
2019148362.tif 000017
【図１６】
2019148362.tif 000018
【図１７】
2019148362.tif 000019
【図１８】
2019148362.tif 000020
【図１９】
2019148362.tif 000021
【図２０】
2019148362.tif 000022
【図２１】
2019148362.tif 000023
【図２２】
2019148362.tif 000024
【図２３】
2019148362.tif 000025
【図２４】
2019148362.tif 000026
【図２５】
2019148362.tif 000027
【図２６】
2019148362.tif 000028
【図２７】
2019148362.tif 000029
【図２８】
2019148362.tif 000030